(57)【要約】【課題】空調機械室内に収納空間を設けてスペースの有効利用を図るとともに、空調機器類へのアクセス制限も併せて行える空調機械室構造を提供すること。【解決手段】空調機械室１２には物品収納棚７０が設けられ、その空調機械室１２に収納空間７４が確保される。空調システム４０を構成する空調装置にアクセスするための第1開閉戸９１と、収納空間７４にアクセスするための第２開閉戸９２とが上下に並んで設けられている。第１開閉戸９１は、ストッパ部材９３によってその開き方向への移動が規制されるとともに、第２開閉戸９２が閉じられた状態ではそのストッパ部材９３による移動規制の解除もできないように構成されている。【選択図】      図１
2015194334.tif 000002
【特許請求の範囲】
【請求項１】
空調空気を生成する空調装置と、その生成された空調空気を空調対象となる居室空間まで流す通気部材とを備えた空調システムを有する建物において、前記空調装置を収容する空調機械室の構造であって、
室内に物品収納棚が設けられるとともに、
床に設置された前記空調装置が収容される第１空間と、前記物品収納棚が設けられた第２空間とが並べて設けられ、
さらに、前記第１空間を開閉する第１開閉戸と、前記第２空間を開閉する第２開閉戸とも並べて設けられ、
前記第２開閉戸が閉じられた状態で前記第１開閉戸が開放されることを規制する開放規制手段を有していることを特徴とする空調機械室構造。
【請求項２】
前記第１空間の上に前記第２空間が配置されていることを特徴とする請求項１に記載の空調機械室構造。
【請求項３】
前記第１開閉戸は手前側に開く開き戸であり、
前記開放規制手段は、前記第１開閉戸に設けられてその第１開閉戸の開き方向である手前側への移動を規制する規制部を有し、
前記規制部は、前記物品収納棚が有する底棚部に設けられた突起部に当たることでそれ以上の手前側への移動を規制する被係止部と、弾性変形することによって前記被係止部を係止状態が解除される側へ変位させる変形部とを備え、
前記被係止部が前記突起部に当たった状態で、前記変形部の上方に、閉じられた状態の前記第２開閉戸が配置されていることを特徴とする請求項２に記載の空調機械室構造。
【請求項４】
前記第１開閉戸は、当該第１開閉戸を正面から見て左右方向の一端側で、上下方向を中心軸線として回動可能に軸支され、
前記規制部は、前記軸支された側とは反対の他端側に設けられていることを特徴とする請求項３に記載の空調機械室構造。
【請求項５】
前記底棚部は、平板状に形成された棚板部と、前記棚板部の前記手前側で当該棚板部の下端よりも下方に突出するように設けられた前框とを有し、
前記突起部は前記前框の下面に設けられ、
前記棚板部と前記前框とは構造上分離して設けられていることを特徴とする請求項３又は４に記載の空調機械室構造。
【請求項６】
前記底棚部は、平板状に形成された棚板部と、前記棚板部の前記手前側で当該棚板部の下端よりも下方に突出するように設けられた前框とを有し、
前記棚板部及び前記前框は、それぞれ前記前框が延びる方向の両端部で支持されており、
前記突起部は前記前框の下面に設けられ、
前記規制部は、前記前框が延びる方向においてはその中央寄りの位置で、かつ前記底棚部がその撓み許容量の最大まで撓んだ場合に、前記被係止部の上端が前記前框の下面よりも低い位置に配置された状態となる高さ位置に設けられていることを特徴とする請求項３又は４に記載の空調機械室構造。
【請求項７】
前記通気部材は前記空調装置から上方に延びる上流側通気部を有しており、前記物品収納棚の奥に前記上流側通気部が設けられていることを特徴とする請求項１乃至６のいずれか１項に記載の空調機械室構造。
【請求項８】
前記空調機械室は、前記建物の非居室空間に隣接して設けられ、
その非居室空間は下がり天井を有する低天井空間であり、その天井裏空間を利用して前記通気部材の下流側通気部が設けられ、
前記収納棚の天井側は、非居室空間の下がり天井と同じ天井高さとされていることを特徴とする請求項７に記載の空調機械室構造。
【請求項９】
前記第１開閉戸及び前記第２開閉戸は、一対の扉板部材が観音開き式に取り付けられて構成されたものであることを特徴とする請求項１乃至８のいずれか１項に記載の空調機械室構造。
【発明の詳細な説明】
【技術分野】
【０００１】
本発明は、建物における空調機械室構造に関する。
【背景技術】
【０００２】
住宅等の建物において、空調装置によって生成された空調空気を、空調ダクトやチャンバ等の通気部材を介して、各居室空間へ供給する空調システムが設けられることがある。その場合、天井裏空間や床下空間を利用して、システムを構成する空調装置や通気部材が設置されることが比較的多い。
【０００３】
ただ、建物が陸屋根である場合など、空調装置等を設置するだけの空間を天井裏空間に確保することができない建物も中にはある。そのような場合には、下がり天井を有する非居室空間に隣接して空調機械室を設け、そこに空調装置等を設置するようにした構成が知られている。例えば特許文献１では、空調機械室内に空調装置等を設置する構成のほか、空調機械室内を還流空気の流通路として利用する工夫が示されている。
【先行技術文献】
【特許文献】
【０００４】
【特許文献１】特開２０１３−２１３６４８号公報
【発明の概要】
【発明が解決しようとする課題】
【０００５】
上述したように、空調機械室を設けた場合において、その室内空間を空調装置等の設置スペースとしてだけでなく、他に利用する方法も提案されているところである。しかしながら、上記特許文献１のように空気の流通路として利用するだけでは、空調機器類の設置スペース以外のスペースが有効に利用されているとはいえず、改善の余地がある。
【０００６】
また、上記特許文献１では、空調機械室を仕切る壁に扉が設けられ、その扉を開けることにより空調機器類の点検を可能とする構成が採用されている。空調装置が床置きされた場合、扉も床側に配置されるため、幼児等の子供が扉を開けて空調装置へのアクセスが可能となってしまう。このため、子供による空調装置の誤操作のおそれへの対処という点でも改善の余地がある。
【０００７】
本発明は、上記事情に鑑みてなされたものであり、空調機械室内に収納空間を設けてスペースの有効利用を図るとともに、空調機器類へのアクセス制限も併せて行える空調機械室構造を提供することを主たる目的とする。
【課題を解決するための手段】
【０００８】
上記課題を解決すべく、第１の発明の空調機械室構造では、空調空気を生成する空調装置と、その生成された空調空気を空調対象となる居室空間まで流す通気部材とを備えた空調システムを有する建物において、前記空調装置を収容する空調機械室の構造であって、室内に物品収納棚が設けられるとともに、床上に設置された前記空調装置が収容される第１空間と、前記物品収納棚が設けられた第２空間とが並べて設けられ、さらに、前記第１空間を開閉する第１開閉戸と、前記第２空間を開閉する第２開閉戸とも並べて設けられ、前記第２開閉戸が閉じられた状態で前記第１開閉戸が開放されることを規制する開放規制手段を有していることを特徴とする。
【０００９】
この第１の発明によれば、空調機械室に物品収納棚が設けられているため、空調機械室を利用して収納空間を確保でき、スペースの有効利用を図ることができる。それに加え、空調装置と収納空間とにそれぞれアクセスするための開閉戸が別に設けられ、開放規制手段により、第１開閉戸は、第２開閉戸が閉じられた状態では開きが規制される。第１開閉戸は、幼児等の子供によって開けられることを困難にする必要があるところ、その第１開閉戸だけを開くことができないようにすることで、子供による空調装置の誤操作のおそれを低減させることができる。
【００１０】
第２の発明では、前記第１空間の上に前記第２空間が配置されている。
【００１１】
この第２の発明によれば、第１空間の上に第２空間が配置されていることにより、第２開閉戸は第１開閉戸の上に存在することになる。そうすると、第２開閉戸を開閉するには背丈が必要となるため、幼児等の小さい子供が第２開閉戸を開閉することが困難となる。その結果、第１開閉戸を開くこともより困難になるため、子供による空調装置の誤操作のおそれをより一層低減させることができる。
【００１２】
第３の発明では、前記第１開閉戸は手前側に開く開き戸であり、前記開放規制手段は、前記第１開閉戸に設けられてその第１開閉戸の開き方向である手前側への移動を規制する規制部を有し、前記規制部は、前記物品収納棚が有する底棚部に設けられた突起部に当たることでそれ以上の手前側への移動を規制する被係止部と、弾性変形することによって前記被係止部を係止状態が解除される側へ変位させる変形部とを備え、前記被係止部が前記突起部に当たった状態で、前記変形部の上方に、閉じられた状態の前記第２開閉戸が配置されている。
【００１３】
この第３の発明によれば、第１開閉戸に設けられた被係止部が突起部に当たることにより、第１開閉戸はそれ以上の開き方向への移動が規制される。その移動規制を解除するには、変形部を変位させて被係止部の係止状態を解除する必要があるが、第２開閉戸が閉じている場合にはその第２開閉戸が変形部の上方に存在している。そのため、第２開閉戸を開いて変形部の上方に第２開閉戸が存在しない状態としない限り、変形部を変形させることができない。
【００１４】
第１開閉戸を開くには、第２開閉戸も開く必要があるということに加え、第１開閉戸の移動規制を解除するには、さらに、変形部を弾性変形させる必要があるため、第１開閉戸を開くことがより困難となる。これにより、幼児等の子供による空調装置の誤操作のおそれを抑制できる。
【００１５】
第４の発明では、前記第１開閉戸は、当該第１開閉戸を正面から見て左右方向の一端側で、上下方向を中心軸線として回動可能に軸支され、前記規制部は、前記軸支された側とは反対の他端側に設けられている。
【００１６】
この第４の発明によれば、前記規制部は、前記第１開閉戸が軸支された側とは反対側、つまり前記第１開閉戸を開けた場合に、より大きな開き量を確保できる部分に設けられることになる。このため、前記変形部を変形させて前記被係止部による係止状態を解除するためのスペースが確保され、第１開閉戸の開きが規制された状態の解除を行い易い。
【００１７】
第５の発明では、前記底棚部は、平板状に形成された棚板部と、前記棚板部の前記手前側で当該棚板部の下端よりも下方に突出するように設けられた前框とを有し、前記突起部は前記前框の下面に設けられ、前記棚板部と前記前框とは構造上分離されて設けられている。
【００１８】
この第５の発明によれば、前記前框と前記棚板部とが構造上分離されているため、棚板部に載置された収納物品等の荷重により当該棚板部が撓んでも、前框までそれと一緒に撓んでしまうことが抑制される。このため、棚板部が撓んでも前框及びその下面に設けられた前記突起部の高さ位置を維持することが可能となる。それにより、第１開閉戸を手前側へ移動させる上で、前框が撓んで突起部の高さ位置が下がってしまうことによる弊害、つまり前記規制部の前記被係止部が、突起部に当たる前に前框の下端部と干渉してしまうことを抑制できる。
【００１９】
第６の発明では、前記底棚部は、平板状に形成された棚板部と、前記棚板部の前記手前側で当該棚板部の下端よりも下方に突出するように設けられた前框とを有し、前記棚板部及び前記前框は、それぞれ前記前框が延びる方向の両端部で支持されており、前記突起部は前記前框の下面に設けられ、前記規制部は、前記前框が延びる方向においてはその中央寄りの位置で、かつ前記底棚部がその撓み許容量の最大まで撓んだ場合でも、前記被係止部の上端が前記前框の下面よりも低い位置に配置された状態となる高さ位置に設けられている。
【００２０】
この第６の発明によれば、前記底棚部が撓み許容量の最大まで撓み得ることを想定して前記規制部が設けられているため、底棚部に載置された収納物品等の荷重により当該底棚部が撓んでも、前記被係止部の上端は前記前框の下面よりも低い位置に配置されている。これにより、底棚部が撓み許容量の最大まで撓んでも、第１開閉戸を手前側へ移動させる上で、前記被係止部が突起部に当たる前に前框の下端部と干渉してしまうことを抑制できる。
【００２１】
第７の発明では、前記通気部材は前記空調装置から上方に延びる上流側通気部を有しており、前記物品収納棚の奥に前記上流側通気部が設けられている。
【００２２】
この第７の発明によれば、物品収納棚の奥に上流側通気部が設けられていることにより、空調装置から上流側通気部が上方に延びる構成を備えた空調システムを採用した場合に、スペースの有効活用として好適である。この場合、空調装置も上流側通気部と同様に、空調機械室の奥側へ配置すれば、空調装置の前方に点検用スペースを確保することができる点でも好適である。
【００２３】
第８の発明では、前記空調機械室は、前記建物の非居室空間に隣接して設けられ、前記非居室空間は下がり天井を有する低天井空間であり、その天井裏空間を利用して前記通気部材の下流側通気部が設けられ、前記収納棚の天井側は、非居室空間の下がり天井と同じ天井高さとされている。
【００２４】
この第８の発明によれば、物品収納棚の天井側が非居室空間の下がり天井と同じ天井高さとされているため、物品収納棚の天井側を最大限高く設定することが可能となり、より広い収納空間を確保することができる。
【００２５】
第９の発明では、前記第１開閉戸及び前記第２開閉戸は、一対の扉板部材が観音開き式に取り付けられて構成されたものである。
【００２６】
この第９の発明によれば、第１開閉戸及び第２開閉戸は観音開き式の構成を有するため、片方の扉板部材を個別に開閉することが可能となり、一枚の扉板部材によって構成された場合に比べて開閉しやすい。特に、物品収納棚の開閉に関しては、片方の扉板部材を個別に開閉することが可能となるため、使い勝手を向上させることができる。
【図面の簡単な説明】
【００２７】
【図１】建物における二階部分の空調機械室を示す縦断面図。
【図２】空調機械室を廊下側から見た場合の正面図。
【図３】図１と同じ縦断面図において、空調機械室内のスペースを示す図。
【図４】収納棚を構成する底棚部の前部周辺を示す縦断面図。
【図５】第２開閉戸を開いた状態の空調機械室を示す概略正面図。
【図６】第１開閉戸の開放規制とその解除の様子を概略的に示す説明図。
【図７】底棚部の別例を示す縦断面図。
【図８】棚板部だけが撓んだ状態を概略的に示す説明図。
【図９】ストッパ部材の取付位置の別例を示す縦断面図。
【図１０】底棚部が撓んだ状態を概略的に示す説明図。
【図１１】別例の開放規制手段を採用した扉体を示す一部正面図。
【発明を実施するための形態】
【００２８】
以下、本発明を具体化した実施形態について図面を参照しつつ説明する。本実施形態では、本発明の空調機械室構造を、鉄骨ラーメン構造を有する二階建てユニット式建物であって、陸屋根よりなる屋根部を有する建物において具体化している。なお、ユニット式建物とは、梁及び柱を有する複数の建物ユニットを備え、それら各建物ユニットが互いに組み合わされることにより構成された建物である。
【００２９】
はじめに、空調機械室の概要について、図１及び図２を参照して説明する。図１は、建物における二階部分の空調機械室を示す縦断面図であり、図２は、空調機械室を廊下側から見た場合の正面図である。
【００３０】
図１に示すように、建物１０の二階部分には、屋内空間として、廊下１１と空調機械室１２とが設けられている。この図１には図示されていないが、建物１０の二階部分における屋内空間としては、廊下１１及び空調機械室１２のほか、複数の居室空間が廊下１１に隣接して設けられている。このため、非居室空間である廊下１１は、各居室空間を繋ぐ空間としての役割を有している。
【００３１】
また、建物１０は、各階部分を個別に空調する空調システムを有しており、空調機械室１２は、そのうちの二階部分に設けられた空調システム４０の一部である空調機器類を設置する空間である。この空調機械室１２は、廊下１１に隣接して設けられるとともに、室外であるその廊下１１に向けて、そのほぼ全域が開放された開放口１３を有する空間となっている。
【００３２】
図１のほか、図２にも示すように、空調機械室１２の開放口１３は、左右の側面壁１４側に設けられた一対の縦枠１５ａ，１５ｂと、天井側に設けられた横枠１６と、床面によって形成されている。そして、空調機械室１２の開放口１３は常時開放された状態にあるのではなく、その開放口１３には扉体１７が設けられている。この扉体１７によって、空調機械室１２の開放口１３が開閉されるようになっている。
【００３３】
なおここで、本実施形態における空調機械室１２につき、その前後左右について説明する。左右とは図２の正面図を前提とし、前とは空調機械室１２の開放口１３側、つまり廊下１１側をいい、その反対側の背面壁１８側を奥というものとする。
【００３４】
次に、建物１０の二階部分に設けられた上記廊下１１及び空調機械室１２の天井及び床の概略構成について、上記図１を参照して説明する。
【００３５】
図１に示すように、二階部分の屋内空間において、その天井側には二階天井２１が設けられ、二階天井２１の上方は天井裏空間２２となっている。天井裏空間２２は二階天井２１と建物１０の屋根部（図示略）との間に設けられているため、天井裏空間２２を屋根裏空間ということもできる。
【００３６】
二階天井２１のうち、廊下１１の天井部分２３は、第１天井面材２４と第２天井面材２５とを備えて構成されている。これら各天井面材２４，２５はいずれも、石膏ボードである。第１天井面材２４は、建物ユニットの天井梁（図示略）によって上方から支持されている。第２天井面材２５は第１天井面材２４よりも低い位置に設けられ、この第２天井面材２５によって廊下１１の天井面が形成されている。このように、廊下１１では、第２天井面材２５が設けられることにより、その天井部分２３はいわゆる下がり天井となっている。その結果、廊下１１は、他の屋内空間（空調機械室１２や居室空間（図示略））よりも天井高さが低い低天井空間となっている。なお、第２天井面材２５は、廊下１１を囲う壁等に固定される等、適宜の固定方法により支持されている。
【００３７】
前述したように、二階天井２１の上方は天井裏空間２２となっているが、廊下１１では、天井部分２３が２つの天井面材２４，２５とで構成されているため、両天井面材２４，２５の間には下部空間２６が形成されている。すなわち、廊下１１の天井裏は、下部空間２６と天井裏空間２２との二層の空間が形成されている。
【００３８】
一方、空調機械室１２の天井部分２７についてみると、廊下１１の天井部分２３に設けられた前記第１天井面材２４がこの空調機械室１２にも設けられている。このため、空調機械室１２は第１天井面材２４によって天井面が形成されている。
【００３９】
また、床側に関しては、廊下１１の床部分３１にはフローリング等の床仕上げ材３２が設けられ、この床仕上げ材３２によって廊下１１の床面が形成されている。一方、空調機械室１２では、床仕上げ材３２は、廊下１１から空調機械室１２の開放口１３より若干中に入った位置まで設けられている。それより奥側では、ＡＣＬ床等の床下地材３３が現れている状態となっている。
【００４０】
次に、空調機械室１２について、その室内構造を、上記図１及び図２に加えて、図３及び図４もさらに参照しつつより詳しく説明する。その説明に際しては、空調システム４０についても必要な範囲で適宜説明を加える。
【００４１】
前述したとおり、空調機械室１２には、二階部分の空調システム４０を構成する一部が設置されている。図１に示すように、その空調システム４０は、空調空気（暖気及び冷気）を生成する室内機としての機能を有する空調装置４１と、空調装置４１に接続された通気部材４２と、通気部材４２に接続されて各居室空間に設けられる吹出部（図示略）とを備えている。
【００４２】
空調装置４１は、廊下１１から空調機械室１２に流れ込む空気を還気として取り込み、その還気をもとに空調空気を生成し、通気部材４２内へ吹き出す。その吹き出された空調空気は、吹出部（図示略）に至るまで通気部材４２を流通した後、吹出部（図示略）から空調対象となる各居室空間に空調空気が供給されるようになっている。この空調装置４１は、床下地材３３の上にベースパン４３を介して設置され、空調機械室１２に収容されている。
【００４３】
空調装置４１の前方、つまり空調機械室１２の開放口１３側には、床仕上げ材３２の上に消音パネル４４が設置されている。消音パネル４４は、空調装置４１から発せられる音を低減させる機能を有している。消音パネル４４は、廊下１１側から見て、空調装置４１を構成する下部装置４１ａの前方を覆うように、空調機械室１２の側面壁１４同士の間全域にわたって床から立設され、空調装置４１の点検が必要な時には着脱が可能となるように構成されている。
【００４４】
通気部材４２は、上流側通気部５１と、下流側通気部５２と、接続チャンバ５３とを有している。上流側通気部５１及び下流側通気部５２はいずれも空調ダクトにより構成されている。
【００４５】
上流側通気部５１は、消音機能が付与されたフレキシブルダクトである。上流側通気部５１の一端（上流側端部５４）は、空調装置４１の上端に設けられたダクト接続部４１ｂに接続されている。空調機械室１２内において、上流側通気部５１は空調装置４１から上方に向かって延びるように設けられており、他端（下流側端部５５）が接続チャンバ５３に接続されている。
【００４６】
一方、下流側通気部５２は水平方向に延びるように形成された成形ダクトであり、廊下１１の二階天井２１に設けられた下部空間２６に設置されている。下流側通気部５２は、廊下１１と空調機械室１２との境界部分上方に設けられたダクト支持部材４５により、上流側端部５６が支持されている。下流側通気部５２の上流側端部５６は、空調機械室１２内へ突出した状態で接続チャンバ５３に接続されている。
【００４７】
接続チャンバ５３は、空調装置４１から上方に向かって延びる上流側通気部５１と、廊下１１の天井側で水平方向に延びる下流側通気部５２とをつなぐチャンバである。この接続チャンバ５３は、空調機械室１２の天井面に近い天井寄りに設けられ、空調機械室１２の奥側から手前側（前側）に向かって略直角に折れ曲がるように形成されている。
【００４８】
以上のように、空調機械室１２には、空調システム４０のうち、空調装置４１と、通気部材４２の一部よりなる空調機器類が設置されている。通気部材４２の一部とは、上流側通気部５１、接続チャンバ５３及び下流側通気部５２の上流側端部５６である。
【００４９】
ところで、空調機械室１２に設置された空調装置４１は室内の奥側に配置されており、その結果、空調装置４１から上方に延びる上流側通気部５１も同じく奥側に配置されている。そして、空調機械室１２の天井側には、奥側から手前側に折り曲がる接続チャンバ５３が設けられている。空調機械室１２において、空調装置４１と通気部材４２の一部よりなる空調機器類がこのように配置された構成となっているため、空調装置４１及び上流側通気部５１の手前側にはスペースが設けられている。
【００５０】
図３は、図１と同じ、建物１０における二階部分の空調機械室１２を示す縦断面図であり、空調機器類のみを図示して他を省略することにより、スペースの存在を示した図である。この図３に示すように、空調機械室１２では、空調装置４１及び上流側通気部５１の手前側に前方スペース６０が設けられている。前方スペース６０は、空調装置４１の手前側に存在する第１スペース６１と、上流側通気部５１の手前側に存在する第２スペース６２とを有している。
【００５１】
第１スペース６１は、空調装置４１とその上端のダクト接続部４１ｂを含む高さが確保されたスペースであり、空調装置４１を点検する場合に人が中に入り込むための点検用スペースとして利用される。なお、点検時には消音パネル４４（図１を参照）は外される。このような点検用の第１スペース６１が確保されることにより、空調装置４１が点検しやすいようになっている。
【００５２】
第１スペース６１の奥には空調装置４１が設置されており、そこが装置設置スペース６３となっている。この装置設置スペース６３と第１スペース６１とを合わせた空間が、空調装置４１が収容される第１空間に相当する。
【００５３】
これに対し、第２スペース６２は、第１スペース６１の直上に存在し、開放口１３の上端までの領域が確保されたスペースである。この第２スペース６２は、そのままではデッドスペースと化してしまうため、物品の収納スペースとして利用される。このため、第２スペース６２が第２空間に相当する。収納スペースとしての利用に関して、具体的には次のとおりである。
【００５４】
図１に戻り、図３の第２スペース６２に相当する部分には、物品収納棚７０が設けられている。物品収納棚７０は、底棚部７１と、天板７２と、背面部７３とを有している。空調機械室１２を形成する左右の側面壁１４間に底棚部７１及び天板７２が水平に架け渡されるとともに、背面部７３が底棚部７１と天板７２の奥側を塞ぐようにして、それぞれが設けられている。これにより、物品収納棚７０に箱型の収納空間７４が形成され、収納空間７４は、その奥の空調装置４１や上流側通気部５１が設置された設置空間と区画されている。収納空間７４を形成する天板７２、背面部７３及び左右の側面壁１４の内側面にはクロス等の仕上げ材が貼り付けられ、化粧仕上げが施されている。
【００５５】
図４は、物品収納棚７０を構成する底棚部７１の前部周辺を示す縦断面図である。この図４に示すように、底棚部７１は、棚板桟８１、棚仕上げ材８２及び前框８３を有して構成されている。棚板桟８１は木質系の角材により枠状に形成された構造材であり、空調機械室１２の左右の側面壁１４間及び縦枠１５ａ，１５ｂ間に架け渡されるようにして設けられ、左右両端部が側面壁１４及び縦枠１５ａ，１５ｂに固定されている。かかる構成により、棚板桟８１は、そこに成人が載った場合でも、人から受ける荷重に耐え得る構造を備えている。
【００５６】
棚仕上げ材８２は棚板桟８１の上全域にわたって設けられ、その上面によって物品収納棚７０の底面が形成されている。棚仕上げ材８２の前端部には、前框８３と組付けるための溝切加工が施されている。
【００５７】
前框８３は、その上面が棚仕上げ材８２の上面と同一平面をなす高さ位置に設けられ、棚板桟８１の前端に当接した状態で、空調機械室１２の左右の縦枠１５ａ，１５ｂ間に架け渡されている。前框８３は、その左右両端部において、固定金具（図示略）を用いて左右の縦枠１５ａ，１５ｂに固定されている。前框８３の上端部は溝切加工され、前記棚仕上げ材８２に施された溝切部分と合わさって、前框８３と棚仕上げ材８２の前端部とが組み付けられている。前框８３の上下方向の長さ（厚さ）は、棚板桟８１及び棚仕上げ材８２を合わせた厚さよりも長く形成されており、前框８３の下端は棚板桟８１の下端よりも下方に突出している。このため、底棚部７１の手前側（前側）は、図示のように、縦断面がＬ字状をなしている。
【００５８】
再び図１に戻り、物品収納棚７０の天板７２は石膏ボードにより構成され、廊下１１の天井部分２３に設けられた第２天井面材２５と同じ高さ位置に設けられている。そのため、廊下１１の下がり天井と同じ天井高さとなっている。
【００５９】
背面部７３は、木質系の角材により形成された枠体（図示略）や石膏ボード（図示略）を組み合わせて構成され、その左右両端が側面壁１４に、下端部が底棚部７１に、上端部が天板７２にそれぞれ固定されている。背面部７３の内側面には、上下方向に延びるハンギングレール７５が左右両端側に設けられている（後述の図５（ａ）を参照）。ハンギングレール７５には、一枚又は複数枚（図示では２枚）の可動棚板７６が着脱自在に設けられている。可動棚板７６は、その支持金具７６ａをハンギングレール７５に引っ掛けることによって、所望の高さ位置に取り付けられる構成を有している。
【００６０】
ここで、背面部７３は、前述したように、収納空間７４の奥側を塞ぐように設けられている。これにより、背面部７３の奥に配置されている上流側通気部５１は、背面部７３によって隠れた状態となり、収納空間７４からその上流側通気部５１を目視することができない。この場合、上流側通気部５１の点検が必要な場合に支障をきたすことになる。そこで、背面部７３には点検口７７が設けられている。
【００６１】
点検口７７は、収納空間７４とその背後の上流側通気部５１が配置された空間とを連通する矩形状の孔であり、縦横が人の肩幅よりも若干大きめの寸法（一例として、縦横それぞれ６２０ｍｍ程度）を有している。背面部７３における点検口７７の位置は、左右方向では中央部であり、上下方向では中央部よりも下寄りにずらした位置となっている（後述の図５（ａ）を参照）。前記ハンギングレール７５は、この点検口７７の左右両側方に設けられている。
【００６２】
点検口７７には、その点検口７７を塞ぐ点検口蓋部材７８が設けられている。点検口蓋部材７８は点検口７７の形状と同じ矩形状をなし、点検口７７に対して着脱自在に嵌め込まれている。点検口蓋部材７８には、点検口７７に嵌め込まれた状態で収納空間７４側となる面にクロス等の仕上げ材が貼り付けられ、化粧仕上げが施されている。
【００６３】
続いて、空調機械室１２の扉体１７に関する構成を、図１、図２及び図４に加えて、図５及び図６もさらに参照しつつ説明する。
【００６４】
図１及び図２に示すように、空調機械室１２の開放口１３には扉体１７が設けられている。扉体１７は、第１開閉戸９１と第２開閉戸９２とを有して構成されている。第１開閉戸９１は空調装置４１の前方に設けられ、第２開閉戸９２は物品収納棚７０の前方に設けられている。換言すれば、空調機器類の前方に設けられた前方スペース６０のうち（図３を参照）、第１開閉戸９１は第１スペース６１の前方に、第２開閉戸９２は第２スペース６２の前方に設けられているともいえる。これにより、第１開閉戸９１が下側に、第２開閉戸９２が上側にそれぞれ配置された状態となっている。
【００６５】
いずれの開閉戸９１，９２も右扉板部材９１ａ，９２ａと左扉板部材９１ｂ，９２ｂとで構成され、右扉板部材９１ａ，９２ａは右側の縦枠１５ａに、左扉板部材９１ｂ、９２ｂは左側に縦枠１５ｂに、複数（この実施形態では３個）の丁番Ｔを介して開閉可能に支持されている。つまり、右扉板部材９１ａ，９２ａは右端側で、左扉板部材９１ｂ、９２ｂは左端側で、それぞれ上下方向を中心軸線として回動可能に軸支されている。これにより、第１開閉戸９１及び第２開閉戸９２は、いずれも観音開き式に開閉される。
【００６６】
また、各開閉戸９１，９２が閉じられた状態において、左右中央で互いに突き合わされる右扉板部材９１ａ，９２ａの左端部と左扉板部材９１ｂ，９２ｂの右端部には、それぞれ上下方向にわたって溝状部９１ｃ，９２ｃが形成されている（後述の図５を参照）。この溝状部９１ｃ，９２ｃを指で引っ掛けることで、右扉板部材９１ａ，９２ａ及び左扉板部材９１ｂ，９２ｂを開け易くなっている。
【００６７】
第１開閉戸９１は、その上端が物品収納棚７０の底棚部７１を構成する前框８３の下端部前方に位置し、下端はアンダーカットとされている。このアンダーカットを通じて、廊下１１の空気が還気として空調機械室１２内に取り込まれ、消音パネル４４を乗り越えるように流通して空調装置４１に取り込まれる。
【００６８】
一方、第２開閉戸９２は、その上端が横枠１６に至り、下端は前框８３の前方であって、第１開閉戸９１の上端に至るまでの寸法を有している。このため、空調機械室１２の開放口１３は、第１開閉戸９１のアンダーカット部分を除き、ほぼ全面が両開閉戸９１、９２で閉じられた状態となっている。
【００６９】
このように、空調機械室１２は、空調システム４０の一部を収容するだけでなく、空調システム４０を構成する上流側通気部５１の前方に物品収納棚７０が設けられ、空調装置４１の収容部分と物品収納棚７０とのそれぞれに対応する開閉戸９１，９２が設けられている。そのため、空調装置４１に対して点検や操作が必要な場合に限り第１開閉戸９１を開閉し、物品収納棚７０を日常的に利用する場合は、第２開閉戸９２のみを開閉すれば足りる。
【００７０】
図５は、第２開閉戸９２を開いた状態の空調機械室１２を示す概略正面図であり、（ａ）は物品収納棚７０を日常利用する状態を示し、（ｂ）は点検時の状態を示している。この図５（ａ）に示すように、物品収納棚７０を日常利用する場合は、点検口７７が点検口蓋部材７８によって塞がれ、建物１０の利用者は、底棚部７１や可動棚板７６を利用して、所望の物品を収納することができる。
【００７１】
一方、定期点検等により空調システム４０の点検が必要な場合は、図５（ｂ）に示すように、収納された物品が取り出されるとともに、可動棚板７６をハンギングレール７５から取り外した状態とする。その上で、点検口蓋部材７８を取り外すことで点検口７７が開放され、その奥に存在する上流側通気部５１を目視することができる。そして、底棚部７１の棚板桟８１が耐荷重構造とされているため、底棚部７１に点検者が乗り、点検口７７からその奥を覗き込み、上流側通気部５１を点検することができる。また、点検口７７は、前述したとおり比較的大きな開口で、背面部７３において下寄りに配置されているため、点検者は点検口７７に頭部を入れて奥を覗き込むことが可能となる。それにより、ダクト接続部４１ｂと上流側通気部５１の上流側端部５４との接続部分を見下ろしながら点検し、上流側通気部５１の下流側端部５５と接続チャンバ５３との接続部分を見上げながら点検することができる。
【００７２】
ところで、第１開閉戸９１及び第２開閉戸９２のうち、第２開閉戸９２は自由な開閉が可能とされ、物品収納棚７０へのアクセスに関して制限は設けられていない。これに対して、第１開閉戸９１は下側に設けられているため、幼児等の子供であっても開閉することが可能となる。この場合、第１開閉戸９１を開けると空調装置４１へのアクセスが可能となるため、子供による空調装置４１の誤操作のおそれがある。そこで、第１開閉戸９１の開きを規制する開放規制手段が設けられている。
【００７３】
図４に示すように、第１開閉戸９１の裏面、つまり閉状態において空調機械室１２内側となる面には、規制部としてのストッパ部材９３が取り付けられている。ストッパ部材９３は、左右の扉板部材９１ａ，９１ｂにそれぞれ１つずつ設けられている。図２を参照すれば、ストッパ部材９３は、第１開閉戸９１の閉状態において、左右中央寄りの上端部であって、前框８３の下方に取り付けられている。つまり、ストッパ部材９３は、各扉板部材９１ａ，９１ｂにおいて、丁番Ｔによって軸支された側とは反対側の位置に設けられている。
【００７４】
ストッパ部材９３は、金属製の板材が折り曲げ形成されてなり、扉板部材９１ａ，９１ｂへの取付部９４、水平部９５、被係止部９６及び先端部９７を有している。変形部としての水平部９５は前框８３の下方で取付部９４から奥に向かって水平に延び、前框８３よりも長い寸法を有している。被係止部９６は、水平部９５の先が直角に立ち上がって形成されている。被係止部９６の上端９６ａは、前框８３の下面８３ａよりも若干（例えば１ｍｍ〜３ｍｍ程度）下位置に配置され、その先が斜め下向きに延びる先端部９７となっている。
【００７５】
一方、前框８３の下面８３ａには、その前側に、突起部としてのストッパピン９８が設けられている。ストッパピン９８は、前框８３の下面８３ａから下方に突出し、ストッパ部材９３の水平部９５とは干渉せず、かつ突出端が被係止部９６の上端９６ａよりも下に位置するように設けられている。第１開閉戸９１を開く場合に、このストッパピン９８にストッパ部材９３の被係止部９６が当たることで、第１開閉戸９１の開きが規制されるようになっている。
【００７６】
その開放規制の仕組みについて、図６を参照しつつさらに説明する。図６は、第１開閉戸９１の開放規制とその解除の様子を概略的に示す説明図であり、（ａ）は両開閉戸９１，９２を閉じた状態、（ｂ）は第１開閉戸９１の開放が規制された状態、（ｃ）は第１開閉戸９１の開放規制を解除する様子を示している。なお、この図６では、各開閉戸９１、９２を構成する左右の扉板部材９１ａ，９１ｂ，９２ａ，９２ｂのうち、左扉板部材９１ｂ，９２ｂを示しているが、右扉板部材９１ａ，９２ａもこれと同様の仕組みで開放規制がなされる。
【００７７】
図６（ａ）に示すように、両開閉戸９１，９２を閉じた状態では、ストッパ部材９３の被係止部９６はストッパピン９８よりも奥側に位置している。この状態から、第１開閉戸９１のみを観音開き式で開けようとすると、第１開閉戸９１の左扉板部材９１ｂは前方へ移動する。
【００７８】
すると、図６（ｂ）に示すように、ストッパ部材９３の被係止部９６がストッパピン９８に当たり、それ以上に左扉板部材９１ｂが開くことが規制される。このとき、閉じた状態にある第２開閉戸９２（左扉板部材９２ｂ）がストッパ部材９３の水平部９５の上方に存在するため、被係止部９６とストッパピン９８との係止を解除することできなくなっている。つまり、第１開閉戸９１の左扉板部材９１ｂが移動したことにより生じる空間が、第２開閉戸９２の左扉板部材９２ｂによって塞がれた状態となり、ストッパ部材９３を操作することができなくなっている。したがって、第２開閉戸９２が閉じた状態にある限り、第１開閉戸９１を開けることはできない。
【００７９】
ちなみに、上記のような構成とするため、ストッパ部材９３の水平部９５は、取付部９４から被係止部９６までの長さＬが、第２開閉戸９２の左扉板部材９２ｂの厚さと、前框８３の前面からストッパピン９８の被係止部９６との当接面までの長さとを合わせた寸法と、ほぼ同じとなるように設定されている。
【００８０】
このような開放規制を解除する場合、図６（ｃ）に示すように、まず第２開閉戸９２を開いた状態とする。そして、ストッパ部材９３の水平部９５を下へ押し込むことにより、被係止部９６とストッパピン９８との係止状態が解除される。これにより、開放規制が解除されるため、第１開閉戸９１の左扉板部材９１ｂを開けることができる。
【００８１】
なお、ストッパ部材９３の水平部９５の押し込みを止めると、水平部９５は復元力によってもとの水平状態に復帰する。このため、第１開閉戸９１の左扉板部材９１ｂを開いた状態から閉じる場合には、水平部９５を再度下へ押し込んで、被係止部９６とストッパピン９８とが当たることを避けながら閉じることになる。
【００８２】
このように第２開閉戸９２を開けない限り、下側にある第１開閉戸９１を開くことができない。そして、第２開閉戸９２は上側にあるため、幼児等の子供が開閉することが困難である。このため、空調装置４１へのアクセスを可能とする第１開閉戸９１が子供によって開かれることを抑制し、子供が空調装置４１に対して誤操作するおそれを低減させることができる。
【００８３】
以上詳述した本実施形態によれば、以下の優れた効果が得られる。
【００８４】
空調機械室１２には、物品収納棚７０が設けられている。そのため、空調機械室１２を利用して収納空間７４を確保でき、スペースの有効利用を図ることができる。
【００８５】
空調機械室１２の扉体１７は、空調装置４１にアクセスするための第１開閉戸９１と、収納空間７４にアクセスするための第２開閉戸９２とを有する。そして、第２開閉戸９２が閉じられた状態では、その第２開閉戸９２の存在により、ストッパ部材９３の水平部９５を押し込む操作を行うことができず、第１開閉戸９１を開くことができない。これにより、幼児等の子供による空調装置４１の誤操作のおそれを低減させることができる。
【００８６】
さらに、第２開閉戸９２が第１開閉戸９１の上に存在し、両開閉戸９１，９２が上下に並んで設けられている。そうすると、第２開閉戸９２を開閉するには背丈が必要となるため、幼児等の小さい子供が第２開閉戸９２を開けることが困難となる。これにより、第１開閉戸９１と第２開閉戸９２が横に並んで配置された構成と異なり、子供による空調装置４１の誤操作のおそれをより一層低減させることができる。
【００８７】
第１開閉戸９１の開放規制手段を有しており、第１開閉戸９１に設けられたストッパ部材９３の被係止部９６が、前框８３の下面に設けられたストッパピン９８に当たることで、第１開閉戸９１はそれ以上の開き方向への移動が規制される。その移動規制を解除するには、水平部９５を変位させて被係止部９６の係止状態を解除する必要がある。ところが、第２開閉戸９２が閉じられている場合、その第２開閉戸９２が水平部９５の上方に存在している。そのため、第２開閉戸９２を開いて水平部９５の上方に第２開閉戸９２が存在しない状態にしないと、水平部９５を変形させることができない。
【００８８】
このように、第１開閉戸９１を開くには、第２開閉戸９２も開ける必要があるということに加え、第１開閉戸９１の移動規制を解除するには、さらに、水平部９５を弾性変形させる必要があるため、幼児等の子供が第１開閉戸９１を開けることはより困難となる。それにより、幼児等の子供による空調装置４１の誤操作のおそれを抑制できる。
【００８９】
第１開閉戸９１において、ストッパ部材９３は、各扉板部材９１ａ，９１ｂが軸支された側、つまり丁番Ｔが設けられた側とは反対側の位置に設けられている。このため、第１開閉戸９１を開けた場合、より大きな開き量を確保できる部分にストッパ部材９３が存在する。これにより、ストッパ部材９３の水平部９５を変形させて、被係止部９６による係止状態を解除するためのスペースを確保でき、第１開閉戸９１の開きが規制された状態を解除し易い。
【００９０】
空調システム４０の空調装置４１が奥側に配置されるとともに、上流側通気部５１は物品収納棚７０の背面部７３の奥側に設けられている。これにより、空調装置４１の前方に点検用スペースを確保しつつ、物品収納棚７０の奥に存在するスペースを利用して上流側通気部５１が配置されるため、スペースの有効活用として好適である。
【００９１】
物品収納棚７０は、その天井側が廊下１１の下がり天井と同じ天井高さとされている。このため、物品収納棚７０の天井側を最大限高く設定されており、より広い収納空間７４を確保することができる。
【００９２】
第１開閉戸９１及び第２開閉戸９２は、観音開き式の両開き戸となっている。このため、左右の扉板部材９１ａ，９１ｂ，９２ａ，９２ｂをそれぞれ個別に開閉することが可能となり、片開き戸である場合に比べて開閉がしやすく使い勝手がよい。特に、物品収納棚７０の開閉に関しては、各扉板部材９２ａ，９２ｂを個別に開閉できるということは、使い勝手の向上につながる。
【００９３】
［他の実施形態］
（１）上記実施の形態では、空調装置４１が設置される空間と物品収納棚７０とが上下に並んで設けられているところ、これを左右に並べて設けられた構成を採用してもよい。例えば、上流側通気部５１が空調装置４１より横方向に延びるように設けられる空調システム４０の場合、このような構成を採用することが好適となる。この構成では、第１開閉戸９１及び第２開閉戸９２が床側に配置されるため、幼児等の子供は両開閉戸９１，９２に手が届く。ただそれでも、開放規制手段により、第２開閉戸９２が開いた状態でない限り、第１開閉戸９１を開くことができない構成とすることで、第１開閉戸９１単独でも開ける場合に比べて、幼児等の子供が空調装置４１を誤操作するおそれを低減させることができる。
【００９４】
なお、この場合の開放規制手段としては、例えば、第１開閉戸９１に開放を規制するロック機構を設け、そのロック機構を解除するための解除操作部を物品収納棚７０に設ける等の構成が考えられる。
【００９５】
（２）上記の実施形態では、物品収納棚７０の底棚部７１について、棚仕上げ材８２と前框８３とが溝切部分で組み付けられて一体化した構成となっているが、例えば図７に示すように、その両者を分離した構成を採用してもよい。この構成では、棚仕上げ材８２の前端と棚板桟８１の前端とで同一平面が形成され、そこに前框８３が当接するようにして当該前框８３が設けられている。棚板桟８１及び棚仕上げ材８２とで平板状をなす棚板部８４が形成され、その棚板部８４と前框８３とは、縦枠１５ａ，１５ｂ等に固定されて支持されている。棚板部８４と前框８３とは、固定支持された左右両端部を除いて構造上分離して設けられている。
【００９６】
なお、棚仕上げ材８２の前端及び棚板桟８１の前端と前框８３との間に若干の隙間が形成された構成であってもよい。
【００９７】
ここで、底棚部７１には、物品収納棚７０に収納される収納物品が載置されたり、空調システム４０の点検時に点検者が乗ったりする。それら収納物品や人により底棚部７１には荷重が作用するため、その荷重によって底棚部７１には撓みが生じる。前框８３及び棚板部８４を含む底棚部７１はその左右両端部と奥側で固定されているため、その撓み量は、前側でかつ左右方向の中央寄りの部分、つまりストッパ部材９３の設置箇所付近において大きくなる。そうすると、上記の実施形態のように、棚仕上げ材８２と前框８３とが一体化されている構成では、底棚部７１の撓みによって前框８３が撓むことになり、その下面８３ａの高さ位置は非荷重の状態（図４の状態）よりも下がる。この場合、ストッパ部材９３の被係止部９６が前框８３の下端部と干渉してしまい、被係止部９６がストッパピン９８に当接するまで第１開閉戸９１を前に引き出せなくなる可能性がある。
【００９８】
その点、上記した別形態の構成によれば、前框８３が棚板部８４と構造上分離されて設けられているため、図８に示すように、収納物品や人による荷重が棚板部８４に作用しても、その荷重による棚板部８４の撓みは当該棚板部８４にのみ作用し、前框８３まで一緒に撓んでしまうことが抑制される。これにより、前框８３の下面８３ａの高さ位置は、荷重非作用の状態と同じレベルを維持することが可能となり、第１開閉戸９１を開ける際に、ストッパ部材９３の被係止部９６が、ストッパピン９８に当たる前に前框８３の下端部と干渉してしまうことを抑制できる。
【００９９】
（３）上記の実施形態では、ストッパ部材９３は、その被係止部９６の上端９６ａが前框８３の下面８３ａよりも若干（１ｍｍ〜３ｍｍ）下の位置となるように設けられていたが、例えば図９に示すように、より離れた位置に設けられた構成を採用してもよい。具体的には、ストッパ部材９３は、被係止部９６の上端９６ａが前框８３の下面８３ａよりも高さＨ１だけ低い位置に設けられている。この高さＨ１は、前框８３を含む底棚部７１の撓み許容量よりも大きくなっている。つまり、ストッパ部材９３は、前框８３を含む底棚部７１が撓んで前框８３の下面８３ａが下がることを想定した位置に設けられている。そして、ストッパ部材９３の取付位置が上記実施形態の構成よりも下げられたことにより、ストッパピン９８は、前框８３の下面８３ａからの突出長さが上記実施形態の構成よりも長くなっている。その突出長さとしては、ストッパ部材９３の水平部９５と干渉せず、かつ突出端が被係止部９６の上端９６ａよりも下に位置するような長さである。
【０１００】
なお、撓み許容量は、荷重により底棚部７１が変形して取付位置が下がった場合における位置差（下がり量）の最大値であり、底棚部７１に対し、所定の積載重量で一定期間荷重をかけた場合を基準として設定される。一例として、積載重量１．５ｋｇ／ｄｍ２とし、その積載重量で1週間荷重をかけた場合が考えられる。この場合、５ｍｍ又は横幅（物品収納棚７０を正面から見た場合の左右方向の幅）に対する割合の０．５％として算出される数値のうち、いずれか小さい方の数値を撓み許容量として設定することが好ましい。具体的には、底棚部７１の横幅が８００ｍｍであれば撓み許容量は４ｍｍ（横幅の０．５％）と設定され、１５００ｍｍであれば横幅の０．５％は７．５ｍｍだが、撓み許容量は５ｍｍと設定される。
【０１０１】
このような構成によれば、図１０に示すように、収納物品や人による荷重が底棚部７１に作用して当該底棚部７１が撓み許容量の最大まで撓んだとしても、被係止部９６の上端９６ａが前框８３の下面８３ａよりも高さＨ２だけ低い位置に配置された状態となる。これにより、底棚部７１が撓んでも、第１開閉戸９１を開ける際に、ストッパ部材９３の被係止部９６が前框８３の下端部と干渉してしまうことを抑制できる。つまり、この別形態によっても、上記（２）の別形態と同じ効果を得ることができる。
【０１０２】
（４）上記実施の形態では、開放規制手段として、ストッパ部材９３及びストッパピン９８を設け、ストッパ部材９３の水平部９５の上方に、閉じられた状態の第２開閉戸９２が配置される構成を採用したが、別の構成を採用としてもよい。例えば、図１１はその別例の開放規制手段を採用した扉体１７を示す一部正面図である。この図１１に示すように、第１開閉戸９１には溝状部９１ｃを有しない扉板部材１０１ａ，１０１ｂを有している。この扉板部材１０１ａ，１０１ｂの上面には、左右中央寄りの箇所に、溝部１０２が設けられている。第１開閉戸９１の上端と第２開閉戸９２の下端との間は、幼児等の子供でも指が入らないようなわずかな隙間が設けられているため、第２開閉戸９２を開いて初めて、溝部１０２に指を引っ掛けることが可能となる。かかる構成であっても、第１開閉戸９１の開放を規制し、幼児等の子供よる空調装置４１の誤操作のおそれを低減できる。
【０１０３】
（５）上記実施の形態では、第１開閉戸９１の各扉板部材９１ａ，９１ｂにおいて、それらが軸支された側とは反対側の位置にストッパ部材９３を設けたが、ストッパ部材９３を取り付ける位置は任意である。例えば、各扉板部材９１ａ，９１ｂのそれぞれの中央部にストッパ部材９３が設けられた構成を採用してもよい。もっとも、水平部９５を変形させて、被係止部９６による係止状態を解除するためのスペースを確保するという意味では、軸支側とは反対側に設けられた構成として扉の開き量を確保することが好ましい。
【０１０４】
（６）上記実施の形態では、空調機械室１２に収容される空調システム４０として、空調装置４１から上流側通気部５１が上方に延び、下流側通気部５２が下がり天井による天井側の下部空間２６に設けられた構成を採用したが、他の構成を採用してもよい。
【０１０５】
例えば、通気部材４２が二階床下空間に設けられ、上流側通気部５１が空調装置４１から下方へ引き出される構成としてもよい。この構成では、物品収納棚７０の奥側に上流側通気部５１が存在しないため、空調装置４１が設置される空間の上をすべて収納用の空間として利用できる。また、この構成では収納空間が広くなる分、収納可能な物品の量が増える。これにより、底棚部７１が収納物品から受ける荷重も増加し、底棚部７１の撓み量も大きくなる可能性があるため、上記（２）や（３）で説明した別形態の構成を採用することが好適である。
【０１０６】
（７）上記実施の形態では、物品収納棚７０は可動棚板７６が設けられているが、これを省略してもよい。また、可動棚板７６は水平方向にのみ設けられた構成となっているが、可動棚板７６が垂直方向に設置された構成を採用してもよく、さらには、引き出しを収納空間７４に設けたり、可動棚板７６と併設したりしてもよい。
【０１０７】
その他、物品収納棚７０として必要な構成としては底棚部７１であり、天板７２や背面部７３を省略してもよいし、点検口７７や点検口蓋部材７８のない背面部７３としてもよい。もっとも、本実施形態のように天板７２や背面部７３が設けられた物品収納棚７０の方が、奥側に物品の落下を防止できたり、可動棚板７６が設置できたりする点で、使い勝手はよい。
【０１０８】
（８）上記実施の形態では、物品収納棚７０の天井側が廊下１１の下がり天井と同じ天井高さに設定されているが、物品収納棚７０の天井側が下がり天井よりも低い位置に設けられた構成を採用してもよい。この場合は、収納空間７４の収納容量が少なくなるため、本実施形態と同様、下がり天井と同じ高さ位置に設定することが好ましい。
【０１０９】
（９）上記実施の形態では、通気部材４２が上流側通気部５１、下流側通気部５２及び接続チャンバ５３によって構成されているが、これらを一つの空調ダクト（フレキシブルダクト又は成形ダクト）によって構成してもよい。また、上流側通気部５１を成形ダクトとしてもよいし、下流側通気部５２や接続チャンバ５３をフレキシブルダクトに変更してもよい。
【０１１０】
（１０）上記実施の形態では、扉体１７を構成する第１開閉戸９１と第２開閉戸９２とが観音開き式とされているが、そのいずれか一方又は両方を片開き式としてもよいし、引き戸としてもよい。片開き式とされた第１開閉戸９１又は第２開閉戸９２は、一枚の扉板部材により構成され、正面から見た左右方向のいずれか一端側でその扉板部材が回動可能に軸支される。この場合において、その反対側となる他端側に、ストッパ部材９３を設けた構成とすることが好ましい。なお、引き戸とされた場合は、空調装置４１の点検時に引き戸である第１開閉戸９１や第２開閉戸９２が取り外されることになる。
【０１１１】
（１１）上記実施の形態では、空調機械室１２は廊下１１に隣接して設けられているが、玄関等の他の非居室空間に隣接して設けられた構成としてもよい。
【０１１２】
（１２）上記実施の形態では、建物１０の二階部分に設けられる空調システム４０を収容するための空調機械室１２として説明したが、一階部分に設けられる空調システムを収容する一階部分の空調機械室に適用してもよい。このように一階部分の空調機械室に適用した場合には、上記実施形態のように空調装置４１から上流側通気部５１が上方に延びる構成ではなく、通気部材４２が一階床下空間を利用して設けられ、上流側通気部５１が空調装置４１から下方へ引き出される構成とすることが好適である。
【０１１３】
（１３）上記実施の形態では、建物１０として、鉄骨ラーメン構造を有する二階建てユニット式建物であって、陸屋根を有するものを想定したが、鉄骨軸組工法により構築される建物や、在来木造工法により構築される建物に適用してもよい。また、陸屋根ではなく傾斜屋根部を有する建物であってもよく、特に傾斜屋根部であっても屋根裏空間が狭く、そこに空調システム４０を設置するだけのスペースを確保することが困難な場合に好適となる。
【符号の説明】
【０１１４】
１２…空調機械室、４０…空調システム、４１…空調装置、４２…通気部材、５１…上流側通気部、５２…下流側通気部、６１…第１空間を構成する第１スペース、６２…第２空間としての第２スペース、６３…第１空間を構成する装置設置スペース、７０…物品収納棚、７１…底棚部、８３…前框、８４…棚板部、９１…第１開閉戸、９２…第２開閉戸、９１ａ，９１ｂ…扉板部材、９２ａ，９２ｂ…扉板部材、９３…開放規制手段を構成する規制部としてのストッパ部材、９５…規制手段を構成する変形部としての水平部、９６…規制手段を構成する被係止部、９８…規制手段を構成する突起部としてのストッパピン。
【図１】
2015194334.tif 000003
【図２】
2015194334.tif 000004
【図３】
2015194334.tif 000005
【図４】
2015194334.tif 000006
【図５】
2015194334.tif 000007
【図６】
2015194334.tif 000008
【図７】
2015194334.tif 000009
【図８】
2015194334.tif 000010
【図９】
2015194334.tif 000011
【図１０】
2015194334.tif 000012
【図１１】
2015194334.tif 000013